(57)【要約】【課題】  垂木を通じての通気性を確保しながら補強材の箇所での断熱性が損なわれないようにすることができる屋根の断熱構造を提供する。【解決手段】  間隔を介して配設される複数の垂木１、１…と、隣り合う垂木１、１間において間隔を介して配設される複数の補強材２、２…と、上記垂木１と補強材２の上に配設される野地板３と、野地板３の裏面側に野地板３から間隔をおいて配設される断熱部材４と、上記野地板３と断熱部材４との間に形成される空気層５とを備えた屋根の断熱構造に関する。上記断熱部材４は隣り合う垂木１、１と隣り合う補強材２、２とで囲まれる空間毎に配設されている。垂木１を挟んで隣り合う断熱部材４、４は垂木１に対応する位置で互いに離間されていると共に補強材２を挟んで隣り合う断熱部材４、４は断熱性を有するジョイント部材６により連結される。【選択図】  図１
2006152564.tif 000002
【特許請求の範囲】
【請求項１】
間隔を介して配設される複数の垂木と、隣り合う垂木間において間隔を介して配設される複数の補強材と、上記垂木と補強材の上に配設される野地板と、野地板の裏面側に野地板から間隔をおいて配設される断熱部材と、上記野地板と断熱部材との間に形成される空気層とを備えた屋根の断熱構造において、上記断熱部材は隣り合う垂木と隣り合う補強材とで囲まれる空間毎に配設されており、垂木を挟んで隣り合う断熱部材は垂木に対応する位置で互いに離間されていると共に補強材を挟んで隣り合う断熱部材は断熱性を有するジョイント部材により連結されて成ることを特徴とする屋根の断熱構造。
【請求項２】
垂木を挟んで隣り合う断熱部材は通気シートにより互いに連結されて成ることを特徴とする請求項１に記載の屋根の断熱構造。
【請求項３】
ジョイント部材は基板とその表面に設けた挟持片とで構成され、補強材を挟んで隣り合う断熱部材はジョイント部材の基板と挟持片との間にその端部を挟み込むことにより連結されて成ることを特徴とする請求項１又は２に記載の屋根の断熱構造。
【請求項４】
ジョイント部材を隣り合う垂木の対向面に固定して成ることを特徴とする請求項１乃至３のいずれかに記載の屋根の断熱構造。
【請求項５】
ジョイント部材を平面視で略長方形に形成して成ることを特徴とする請求項１乃至４のいずれかに記載の屋根の断熱構造。
【発明の詳細な説明】
【技術分野】
【０００１】
本発明は、切妻や寄棟などの屋根の断熱構造に関するものである。
【背景技術】
【０００２】
従来より、屋根の断熱性を高めるために各種の構造が採用されている。図８に示す屋根では、野地板３の裏面側に、野地板３から間隔をおいて断熱部材４を野地板３の下面側（裏面側）を覆うようにして設け、野地板３と断熱部材４との間に空気層５を形成したものであり、屋根の流れ方向（傾斜方向）に間隔をおいて配置した複数の母屋５５間毎に、板状の断熱部材４を複数設け、隣り合う断熱部材４、４の端部同士を上下に重ね合せて母屋５５の下面に釘等の固定具５６を打ち付けて固定していた（例えば、特許文献１参照）。尚、６０は屋根材である。
【０００３】
また、図９に示す屋根では、屋根の流れ方向に延びる垂木１の上に野地板３を設けると共に垂木１の下に熱反射フィルムからなる断熱部材４を設けることによって、野地板３と断熱部材４との間に空気層５を形成したものであり、屋根を通じた熱の出入りを空気層５により緩和して屋根の断熱性を高めたものである（例えば、特許文献２参照）。
【０００４】
しかし、上記のような構造ではアルミ箔などの通気性のほとんどない断熱部材４で母屋５５や垂木１の下面を覆うようにして断熱部材４を母屋５５や垂木１に取り付けているので、母屋５５や垂木１を通じて空気層５と屋根裏空間（断熱部材４よりも下側の空間）との通気性を確保することができず、屋根裏空間に湿気が溜まりやすくて腐食しやすいという問題があった。
【０００５】
そこで、断熱部材４を隣り合う垂木１の対向面間に架け渡して配設することによって、垂木１の下面を断熱部材４で覆わないようにすることが考えられているが、図１０に示すように、隣り合う垂木１、１間に補強材（ころび止めなど）２が架設されている場合では、補強材２の箇所で断熱部材４を分断しなければならず、補強材２の箇所で断熱性が損なわれるという問題があった。
【特許文献１】特開平１０−２８０５７７号公報
【特許文献２】特開平５−１４４８号公報
【発明の開示】
【発明が解決しようとする課題】
【０００６】
本発明は上記の点に鑑みてなされたものであり、垂木を通じての通気性を確保しながら補強材の箇所での断熱性が損なわれないようにすることができる屋根の断熱構造を提供することを目的とするものである。
【課題を解決するための手段】
【０００７】
本発明は、間隔を介して配設される複数の垂木１、１…と、隣り合う垂木１、１間において間隔を介して配設される複数の補強材２、２…と、上記垂木１と補強材２の上に配設される野地板３と、野地板３の裏面側に野地板３から間隔をおいて配設される断熱部材４と、上記野地板３と断熱部材４との間に形成される空気層５とを備えた屋根の断熱構造において、上記断熱部材４は隣り合う垂木１、１と隣り合う補強材２、２とで囲まれる空間毎に配設されており、垂木１を挟んで隣り合う断熱部材４、４は垂木１に対応する位置で互いに離間されていると共に補強材２を挟んで隣り合う断熱部材４、４は断熱性を有するジョイント部材６により連結されて成ることを特徴とするものである。
【０００８】
本発明にあっては、垂木１を挟んで隣り合う断熱部材４、４は通気シート７により互いに連結することができる。
【０００９】
また、本発明にあっては、ジョイント部材６は基板８とその表面に設けた挟持片９とで構成され、補強材２を挟んで隣り合う断熱部材４、４はジョイント部材６の基板８と挟持片９との間にその端部を挟み込むことにより連結するのが好ましい。
【００１０】
また、本発明にあっては、ジョイント部材６を隣り合う垂木１、１の対向面に固定することができる。
【００１１】
また、本発明にあっては、ジョイント部材６を平面視で略長方形に形成することができる。
【発明の効果】
【００１２】
本発明では、垂木１を挟んで隣り合う断熱部材４、４は垂木１に対応する位置で互いに離間されているために、垂木１の下面は断熱部材４で覆われないようにすることができ、垂木１を通じて空気層５と断熱部材４よりも下側の空間との通気性を確保することができるものであり、しかも、補強材２を挟んで隣り合う断熱部材４、４は断熱性を有するジョイント部材６により連結するために、補強材２の箇所において断熱性を有するジョイント部材６で隣り合う断熱部材４、４を連続させることができ、補強材２の箇所での断熱性が損なわれないようにすることができるものである。
【００１３】
また、垂木１を挟んで隣り合う断熱部材４、４を通気シート７により互いに連結することにより、複数の断熱部材４を通気シート７で連結した状態で一度に施工することができ、しかも、垂木１が通気シート７で覆われても垂木１を通じての通気性を損なうことなく
、垂木１を通じての通気性を確保しながら施工性を向上させることができるものである。
【００１４】
また、ジョイント部材６の基板８と挟持片９との間に断熱部材４の端部を挟み込むことによりジョイント部材６と断熱部材４との間に隙間が生じにくくなって断熱性の低下を防止することができるものである。
【００１５】
また、ジョイント部材６を隣り合う垂木１、１の対向面に固定することによって、ジョイント部材６で垂木１、１の下面が塞がれないようにすることができ、垂木１の下面を通じての通気性を確保することができるものである。
【００１６】
また、ジョイント部材６を平面視で略長方形に形成するので、隣り合う垂木１、１の間隔が異なる場合にもジョイント部材６の向きを変えて使用することによって、一つのジョイント部材６で対応することが可能となり、部品点数の増加を防止することができるものである。
【発明を実施するための最良の形態】
【００１７】
以下、本発明を実施するための最良の形態を説明する。
【００１８】
図１０に本発明における屋根の骨組み（小屋組）２２の一例を示す。この屋根の骨組み２２は従来の切妻屋根の骨組みと同様であって、複数本の垂木１、１…が棟木１０と軒げた１１との間に傾斜させて設けられている。隣り合う垂木１、１は所定の間隔を介して互いに平行に配置されており、隣り合う垂木１、１の間には複数本の補強材（ころび止めなど）２が架設されている。隣り合う補強材２、２も垂木１の長手方向において所定の間隔を介して互いに平行に配設されている。尚、図中の符号１２は天井根太、１３はころび止め、１４はけらば垂木をそれぞれ示す。
【００１９】
断熱部材４は断熱性及び柔軟性を有するシート材料であって、例えば、図２に示すように、エアキャップやエアクッションと称される断熱シート（密閉された多数の空気セル６１を備えて断熱性を有するプラスチック製エアマット）１５の表裏両面の全面に亘って、アルミニウム箔などの金属箔で形成される遮熱シート１６を設けたものを用いることができる。断熱シート１５と遮熱シート１６とは縫着または接着などにより互いに重合固着することができる。一枚の断熱部材４の幅寸法は上記隣り合う垂木１、１の間隔の寸法（隣り合う垂木１、１の対向する面間の寸法）と同等に形成されている。尚、断熱シート１５と遮熱シート１６の厚みは適宜設定可能であるが、例えば、断熱シート１５が０．５〜３０ｍｍ、遮熱シート１６が０．０１〜０．０５ｍｍとすることができる。
【００２０】
図３に示すように、上記の断熱部材４は通気シート７により複数枚連結されており、これにより、複数枚の断熱部材４と複数枚の通気シート７とを順次互いに連結した断熱通気シート１７が形成されている。通気シート７は隣り合う断熱部材４の上面側端部の間に架設されており、断熱部材４の上面側端部と通気シート７の側端部とは縫着または接着などにより互いに固着することができる。通気シート７は空気や水蒸気を通すが、水を通過させないシート（透湿防水シートや通気防水シートなど）を用いることができ、具体的には、例えば、旭・デュポンフラッシュ株式会社製の商品名［デュポンタイベック１０６０Ｂ］又は宇部気密ハウジング株式会社製の商品名［ジョシーツＬＸ］などを用いることができる。
【００２１】
ジョイント部材６は、断熱シート１５と遮熱シート１６からなる断熱部材４と同様のシート材料を用いて形成することができる。すなわち、図４に示すように、断熱部材４と同様のシート材料を用いて平面視で略長方形の基板８と片用板材１８とを形成し、基板８の上面に片用板材１８を設けてジョイント部材６を形成することができる。片用部材１８は基板８よりも小さくて基板８と相似形の固着部１９と、固着部１９の各辺に沿って固着部１９に一体的に延設された挟持片９とで構成されており、固着部１９を基板８の上面の略中央部に縫着または接着などにより固着するものである。従って、挟持片９としては、固着部１９の長辺に沿って形成されて基板８の長辺と略平行な二つの挟持片９と、固着部１９の短辺に沿って形成されて基板８の短辺と略平行な二つの挟持片９とがあり、各挟持片９はその基部を中心にして上下回動自在に形成されている。
【００２２】
そして、本発明の屋根の断熱構造を形成するにあたっては、以下のようにして行なう。まず、図５に示すように、隣り合う垂木１、１の間に架設した各補強材２の下側にジョイント部材６を配設する。このとき、隣り合う垂木１、１の間隔よりもジョイント部材６の幅寸法が大きい場合は、ジョイント部材６の両側端部を上側に折曲げて固定片２０を形成し、この固定片２０を垂木１、１の対向面（側面）にタッカー等の固定具で固定する。これにより、垂木１の下面がジョイント部材６で塞がれないようにすることができ、垂木１の下面を通じての通気性を確保することができる。また、ジョイント部材６は平面視で略長方形に形成されているために、隣り合う垂木１、１の間隔に応じてジョイント部材６の向きを変えて使用することができる。すなわち、隣り合う垂木１、１の間隔が比較的広い場合は垂木１、１が並ぶ方向（垂木１の長手方向と直交する方向）とジョイント部材６の長手方向とを平行にしてジョイント部材６を配置し、逆に、隣り合う垂木１、１の間隔が比較的狭い場合は垂木１、１が並ぶ方向とジョイント部材６の短手方向とを平行にしてジョイント部材６を配置することができるものであり、隣り合う垂木１、１の間隔が異なる場合にも一つのジョイント部材６で対応することが可能となって部品点数の増加を防止することができる。このようにして各補強材２の下側を跨ぐようにジョイント部材６を配設することによって、補強材２を挟んで両側に、挟持片９が一つずつと各挟持片９に対向する基板８の一部とが位置することになる。
【００２３】
また、一枚の断熱部材４の長さ寸法が、隣り合う補強材２、２の間隔の寸法（隣り合う補強材２、２の対向する面間の寸法）と同等になるように、断熱通気シート１７を切断して複数個に分割する。すなわち、隣り合う垂木１、１の間に補強材２が存在しない場合は、隣り合う垂木１、１の間の全長に亘って一枚の断熱部材４の全体を納めると共に通気シート７を垂木１に引っ掛けるようにしていくことによって、隣り合う垂木１、１の間に断熱部材４を上側から順次配置して断熱通気シート１７を施工することができるが、隣り合う垂木１、１の間に補強材２が存在する場合は、補強材２に断熱部材４が当たって隣り合う垂木１、１の間に一枚の断熱部材４の全体を納めることができない。従って、補強材２に対応する位置において断熱部材４及び通気シート７が分離されるように、断熱通気シート１７を所望の長さに切断する。
【００２４】
次に、分離した断熱通気シート１７を一つずつ屋根の骨組み２２に配設する。これにより、各断熱通気シート１７の各断熱部材４は隣り合う垂木１、１と隣り合う補強材２、２とで囲まれる空間毎に収納されて配設されるものであり、垂木１を挟んで隣り合う断熱部材４、４は垂木１に対応する位置で互いに離間される。また、断熱通気シート１７の通気シート７は垂木１の上部、すなわち、垂木１の一方の側面から上面を経て他方の側面に至るように引っ掛けるようにし、この通気シート７の垂木１への引っ掛けにより断熱通気シート１７を屋根の骨組み２２に配設する。また、断熱通気シート１７は通気シート７をタッカー等の固定具で垂木１に固定して取り付けることができる。このようにして各断熱部材４は隣り合う垂木１、１と隣り合う補強材２、２とで囲まれる空間内において上下方向のほぼ中間位置に保持され、また、隣り合う断熱部材４、４は垂木１を桁行き方向の両側から挟むようにして垂木１の両側面にそれぞれ当接又は近接して配置されている。
【００２５】
次に、断熱部材４の端部を補強材２の下側に設けたジョイント部材６に接続する。この接続の方法は、断熱部材４の端部を基板８と挟持片９との間に挟み込むようにして行うことができる。このようにして断熱部材４の端部をジョイント部材６に接続することによって、図６に示すように、補強材２を挟んで隣り合う断熱部材４、４をジョイント部材６により連結することができる。
【００２６】
この後、合板等の野地板３を垂木１及び補強材２の上に載置し、釘等の固定具で固定する。このようにして野地板３と断熱部材４の間に空気層５を形成する。垂木１への野地板３の載置は通気シート７を介して行なわれる。次に、野地板３の上面の略全面に亘ってにアスファルトルーフィングなどの防水シート２３を敷くと共に防水シート２３の上にスレート瓦等の屋根材２４を葺設する。また、棟木１０の上方の屋根の棟部分には換気棟２５を配設する。このようにして本発明の屋根の断熱構造を形成することができる。
【００２７】
本発明では、図７に示すように、屋根の棟部分に、野地板３と屋根材２４等を切り欠いてなる屋根開口部２７が設けられており、この屋根開口部２７の上方に棟を挟む一対の屋根面間に跨るように上記換気棟２５が設けられており、屋根開口部２７から換気棟２５を通して外部に屋根裏空間２８の換気が行なわれるようになっている。また、上記空気層５は各垂木１に沿うように屋根の流れ方向（傾斜方向）に形成され、空気層５の上端は換気棟２５に連通していると共に空気層５の下端は軒先部分で外部に連通している。
【００２８】
そして、本発明の屋根の断熱構造は、野地板３から天井板側に放射される輻射熱を断熱部材４の上側の遮熱シート１６で遮熱（遮断）することができ、野地板３側からの輻射熱によって天井板側が加熱されるのを防止することができ、また、天井板側から野地板３側に放射される冷熱を、断熱部材４の下側の遮熱シート１６で遮熱することができ、冷熱が野地板３側に放射されて天井板側が熱くなるのを防ぐことができる。従って、断熱部材４の断熱シート１５によって、野地板３側と天井板側とを効果的に断熱して野地板３側の熱が天井板側に伝わって高温になるのを防ぐことができ、また、断熱部材４と野地板３との間の空気層５によっても野地板３側の熱が天井板側に伝わらないようにして効果的に断熱することができる。また、空気層５はその上端が換気棟２５に連通し、下端が軒先部分で外部と連通しているために、外気が空気層５を通じて屋根の流れ方向にスムーズに流通するものであり、空気層５における外気の流通によって、野地板３の下面側に熱がこもらないように効果的に冷却することができる。
【００２９】
しかも、野地板３及び野地板３の下方の垂木１は、屋根に日が当たると湿気を逃がしたり、日が暮れると湿気を吸収したりして、湿気を吸ったり吐いたりするが、断熱部材４は隣り合う垂木１、１間毎に分離されており、隣り合う断熱部材４、４は垂木１に対応する位置で互いに離間されているために、断熱部材４で野地板３の下側の空気層５を密閉状態に塞いだ状態にならなず、図１に示すように、湿気が垂木１内を矢印の方向に通って断熱部材４の表面側と裏面側との間（空気層５と断熱部材４よりも下側の屋根裏空間２８）を流通することになり、従って、野地板３及び垂木１が湿気を吸ったり吐いたりするのを、断熱部材４が妨げるようなことがなくなって、湿気が垂木１や野地板３の裏面等に溜まりにくくなり、垂木１や野地板３が短期間で腐食するのを防止することができる。
【００３０】
また、補強材２を挟んで隣り合う断熱部材４、４は断熱性を有するジョイント部材６により連結するために、補強材２の箇所において断熱性を有するジョイント部材６で隣り合う断熱部材４、４を連続させることができ、補強材２の箇所での断熱性が損なわれないようにすることができる。
【図面の簡単な説明】
【００３１】
【図１】本発明の実施の形態の一例を示し、（ａ）（ｂ）は断面図である。
【図２】同上の断熱部材を示す一部の断面図である。
【図３】同上の断熱通気シートを示す概略の断面図である。
【図４】同上のジョイント部材を示す斜視図である。
【図５】同上の施工途中を示す一部の断面図である。
【図６】同上の施工途中を示す一部の斜視図である。
【図７】同上の棟部分を示す断面図である。
【図８】従来例を示す一部の断面図である。
【図９】他の従来例を示す一部の断面図である。
【図１０】屋根の骨組みを示す一部の斜視図である。
【符号の説明】
【００３２】
１  垂木
２  補強材
３  野地板
４  断熱部材
５  空気層
６  ジョイント部材
７  通気シート
【図１】
2006152564.tif 000003
【図２】
2006152564.tif 000004
【図３】
2006152564.tif 000005
【図４】
2006152564.tif 000006
【図５】
2006152564.tif 000007
【図６】
2006152564.tif 000008
【図７】
2006152564.tif 000009
【図８】
2006152564.tif 000010
【図９】
2006152564.tif 000011
【図１０】
2006152564.tif 000012